【事件の表示】
　平成　８年特許願第２６１０１５号「画像読取装置」拒絶査定不服審判事件〔平成１０年　４月２４日出願公開、特開平１０−１０７９７８〕について、次のとおり審決する。
【結　論】
　本件審判の請求は、成り立たない。
【理　由】
１．手続の経緯
　本願は、平成８年１０月１日の出願であって、平成１７年３月２９日付けで拒絶査定がなされ、これに対し、同年５月９日に拒絶査定に対する審判請求がなされるとともに、同年６月８日付けで手続補正がなされたものである。
　
２．平成１７年６月８日付けの手続補正についての補正却下の決定
[補正却下の決定の結論]
　平成１７年６月８日付けの手続補正を却下する。
[理由]
（１）補正後の本願発明
　本件補正により、特許請求の範囲の請求項１は、
「原稿台に載置された原稿に担持された画像を光学的に読み取って画像信号として出力する少なくとも１つのラインセンサを有する画像読取部と、
　前記画像読取部を前記ラインセンサの主走査方向に沿って変位させるセンサ変位部を具備し、
　前記センサ変位部は、支持台と、
　前記支持台に対して前記主走査方向に振動自在に支承され、かつ前記画像読取部が固定される振動台と、
　前記振動台を変位させる圧電素子と、
　前記圧電素子の振動発生部位を前記振動台に当接させた状態で、該圧電素子を前記支持台に固定する取付ユニットとを有し、
　前記取付ユニットは、前記圧電素子が固定され
、該圧電素子の突出長を調整するための
　前記調整部材は前記取付部材に対して位置調整して固定されることを特徴とする画像読取装置。」と補正された。
　上記補正は、請求項１に記載した発明を特定するために必要な事項である「調整部材」について「該圧電素子の突出長を調整するための」との限定を付加するものであって、平成１８年法改正前特許法第１７条の２第４項第２号の特許請求の範囲の減縮を目的とするものに該当する。
　そこで、本件補正後の前記請求項１に記載された発明（以下、「本願補正発明」という）が特許出願の際独立して特許を受けることができるものであるか（平成１８年法改正前特許法第１７条の２第５項において準用する同法第１２６条第５項の規定に適合するか）について以下に検討する。
　
（２）刊行物
　原審拒絶理由で引用された、本願の出願日前である平成７年１０月２７日に頒布された「特開平７−２８３９１５号公報」（以下、「刊行物１」という）は、「画像読取装置」に関するものであって、その公報には次の事項が記載されている。
ア　「本発明は、ラインセンサを構成する複数の光電変換部の中、奇数番目の光電変換部より得られる画像信号と、偶数番目の光電変換部より得られる画像信号とから移動平均信号を求め、前記移動平均信号に基づき画像を２次元的に読み取る画像読取装置に関する。」（２頁段落【０００１】）
イ　「図１および図２は、本実施例の画像読取装置１０の構成を示す。この画像読取装置１０は、副走査方向（矢印Ｘ方向）に搬送される原稿Ｓを主走査方向（矢印Ｙ方向）に照明する照明光源１２と、原稿Ｓを透過した照明光Ｌを集光する集光レンズ１４と、集光レンズ１４により集光された照明光Ｌを電気信号に変換する変換部１６と、信号処理部１８とから基本的に構成される。
変換部１６は、図３および図４に示すように、主走査方向（矢印Ｙ方向）に長尺に構成される支持台２０と、支持台２０に対して主走査方向（矢印Ｙ方向）に振動自在に支承される振動台２２と、振動台２２にブラケット２４を介して固定されるプリズム２６ｂ、２６ｇ、２６ｒと、各プリズム２６ｂ、２６ｇ、２６ｒに固定されるＣＣＤラインセンサ２８ｂ、２８ｇ、２８ｒとを備える。
支持台２０は、中央部に照明光ＬをＣＣＤラインセンサ２８ｂ、２８ｇ、２８ｒに導くための長尺な開口部３０が形成され、一端部に変位手段であるピエゾ素子３２を挿入するための穴部３４が形成され、他端部にコイルスプリング３６を挿入するための穴部３８が形成される。一方、振動台２２は、中央部に長尺な開口部４０を有し、前記各穴部３４、３８の最奥部３４ａ、３８ａを両端部として支持台２０と一体に構成される。支持台２０と振動台２２とは、両端部がプリズム２６ｂ、２６ｇ、２６ｒの取着された方向に折曲し、主走査方向（矢印Ｙ方向）に延在するスリット４２により略分離状態とされる。また、スリット４２の折曲した部分に沿って、プリズム２６ｂ、２６ｇ、２６ｒ側から略平行となる切り込み４４ａ、４４ｂが夫々形成される。そして、前記折曲した部分と切り込み４４ａ、４４ｂとの間には、薄肉部４６ａ、４６ｂが形成される（図５参照）。この結果、振動台２２は、前記薄肉部４６ａ、４６ｂを介して主走査方向（矢印Ｙ方向）に変位可能となる。なお、スリット４２には、当該スリット４２をワイヤカット放電加工機によって加工するためのワイヤを通す孔部４８が形成される。
ピエゾ素子３２は、端部が振動台２２における穴部３４の最奥部３４ａに当接した状態で、固定板５０により支持台２０の穴部３４に装着される。また、コイルスプリング３６は、端部が振動台２２における穴部３８の最奥部３８ａに当接した状態で、固定ねじ５２により支持台２０の穴部３８に装着される。」（３頁段落【００１１】ないし【００１４】、図１ないし５）
ウ　「ここで、上述した実施例において、図３に示すように、ブラケット２４と前記振動台２２とをピン７４を中心として走査面内で回動可能に連結し、主走査方向とピエゾ素子３２による振動台２２の変位方向とを一致させるように調整することで、振動台２２に対するＣＣＤラインセンサ２８ｂ、２８ｇ、２８ｒの位置決めを行うことができる。また、この調整に際して、図９に示すように、振動台２２の主走査方向に沿ってリブ７６ａ、７６ｂを設け、前記リブ７６ａ、７６ｂに螺合する調整ねじ７８ａ〜７８ｄの先端部によりブラケット２４の位置調整を行うようにすることもできる。なお、図１０に示すように、振動台２２の主走査方向の両端部にリブ８０ａ、８０ｂを設け、前記調整ねじ７８ａ〜７８ｄによりブラケット２４を介して調整されたプリズム２６ｂ、２６ｇ、２６ｒを当て板８１を介し固定ねじ８２ａ、８２ｂを用いてリブ８０ａ、８０ｂ間に固定するようにしてもよい。」（５頁段落【００３４】、図３，９，１０）
　　
（３）認定・対比・判断
ア　本願補正発明と刊行物１に記載された発明（以下、「刊行物発明」という）との対比
　本願補正発明と刊行物発明を対比すると、
　上記２（２）ア、イによれば、
　刊行物発明は、ラインセンサを構成する複数の光電変換部の中、奇数番目の光電変換部より得られる画像信号と、偶数番目の光電変換部より得られる画像信号とから移動平均信号を求め、前記移動平均信号に基づき画像を２次元的に読み取る画像読取装置であるから、本願補正発明でいう、「原稿台に載置された原稿に担持された画像を光学的に読み取って画像信号として出力する少なくとも１つのラインセンサを有する画像読取部」を有する点に相当するものの存在が認められる。
　また、刊行物発明は、変換部１６が、主走査方向（矢印Ｙ方向）に長尺に構成される支持台２０と、支持台２０に対して主走査方向（矢印Ｙ方向）に振動自在に支承される振動台２２と、振動台２２にブラケット２４を介して固定されるプリズム２６ｂ、２６ｇ、２６ｒと、各プリズム２６ｂ、２６ｇ、２６ｒに固定されるＣＣＤラインセンサ２８ｂ、２８ｇ、２８ｒとを備えるものであって、振動台２２は、前記薄肉部４６ａ、４６ｂを介して主走査方向（矢印Ｙ方向）に変位可能であり、ピエゾ素子３２は、端部が振動台２２における穴部３４の最奥部３４ａに当接した状態で、固定板５０により支持台２０の穴部３４に装着される。また、コイルスプリング３６は、端部が振動台２２における穴部３８の最奥部３８ａに当接した状態で、固定ねじ５２により支持台２０の穴部３８に装着されるものである。してみると、刊行物発明には、本願補正発明でいう、「画像読取部を前記ラインセンサの主走査方向に沿って変位させるセンサ変位部を具備し、前記センサ変位部は、支持台と、前記支持台に対して前記主走査方向に振動自在に支承され、かつ前記画像読取部が固定される振動台と、前記振動台を変位させる圧電素子と、前記圧電素子の振動発生部位を前記振動台に当接させた状態で、該圧電素子を前記支持台に固定する取付ユニットとを有する」点に相当するものの存在が認められる。
　もっとも、本願補正発明は、「取付ユニットは、前記圧電素子が固定され、該圧電素子の突出長を調整するための調整部材と、前記調整部材を収容した状態で、前記圧電素子を前記支持台に対して固着するための取付部材を有し、前記調整部材は前記取付部材に対して位置調整して固定される」ものであるのに対し、刊行物発明は、そのようなものでない点で両者は相違する。
　そして、刊行物発明と本願補正発明とは「画像読取装置」である点で共通する。
（イ）したがって両者は、
「原稿台に載置された原稿に担持された画像を光学的に読み取って画像信号として出力する少なくとも１つのラインセンサを有する画像読取部と、前記画像読取部を前記ラインセンサの主走査方向に沿って変位させるセンサ変位部を具備し、前記センサ変位部は、支持台と、前記支持台に対して前記主走査方向に振動自在に支承され、かつ前記画像読取部が固定される振動台と、前記振動台を変位させる圧電素子と、前記圧電素子の振動発生部位を前記振動台に当接させた状態で、該圧電素子を前記支持台に固定する取付ユニットとを有する画像読取装置。」である点で一致し、次の点で相違しているものと認められる。
ａ　本願補正発明は、「取付ユニットは、前記圧電素子が固定され、該圧電素子の突出長を調整するための調整部材と、前記調整部材を収容した状態で、前記圧電素子を前記支持台に対して固着するための取付部材を有し、前記調整部材は前記取付部材に対して位置調整して固定される」ものであるのに対し、刊行物発明は、そのようなものでない点
　　
イ　相違点aについての検討
　上記２（２）イ、ウによれば、刊行物発明においても、圧電素子（ピエゾ素子）は、端部が振動台２２における穴部３４の最奥部３８ａに当接した状態で、固定板５０により支持台２０の穴部３４に装着されるものであり、その当接状態が適切に維持される必要があるものと解されるところ、ブラケット２４と前記振動台２２とはピン７４を中心として走査面内で回動可能に連結し、主走査方向と圧電素子（ピエゾ素子）による振動台２２の変位方向を一致させるように調整することで、振動台２２に対するＣＣＤラインセンサの位置決めを行うことができ、この調整に際して、振動台の主走査方向に沿ってリブ７６ａ、７６ｂを設け、前記リブに螺合する調整ねじ７８ａ〜７８ｄの先端部によりブラケットを位置調整を行うようにすることもできるものである。
　してみると、一方で上記位置調整をおこないつつも、圧電素子は当接を維持する必要があり当然そのような調整がなされることが示唆されるところ、当該調整を取付前におこなうか取付後に行うかは調整の仕方により適宜選択されることといえ、しかも、調整部材によって調整した状態で取付部材により固着（固定）することは、機器の組立に際して常套技術（例えば、特開平２−８９６６２号公報参照）といえる。
　してみれば、「取付ユニットは、前記圧電素子が固定され、該圧電素子の突出長を調整するための調整部材と、前記調整部材を収容した状態で、前記圧電素子を前記支持台に対して固着するための取付部材を有し、前記調整部材は前記取付部材に対して位置調整して固定される」ようにすることは、当業者が容易に推考できたものであり、また、上記相違点に基づく本願補正発明の効果に格別顕著なものがあるともいえない。
　したがって、本願補正発明は、刊行物１に記載された発明及び常套技術に基づいて、当業者が容易に発明をすることができたものであるから、特許法第２９条第２項の規定により特許出願の際独立して特許を受けることができないものである。
　
（４）むすび
　以上のとおり、本件補正は、平成１８年法改正前特許法第１７条の２第５項で準用する同法第１２６条第５項の規定に違反するものであり、特許法第１５９条第１項において読み替えて準用する同法第５３条第１項の規定により却下されるべきものである。
　
３．本願発明について
　平成１７年６月８日付けの手続補正は上記のとおり却下されたので、本願の請求項１ないし４に係る発明（以下、同項記載の発明を「本願発明」という）は、平成１６年８月１２日付け手続補正により補正された明細書の特許請求の範囲請求項１ないし４に記載された事項により特定されるものと認められるところ、そのうち、請求項１に係る発明は以下のとおりのものである。
「原稿台に載置された原稿に担持された画像を光学的に読み取って画像信号として出力する少なくとも１つのラインセンサを有する画像読取部と、
　前記画像読取部を前記ラインセンサの主走査方向に沿って変位させるセンサ変位部を具備し、
　前記センサ変位部は、支持台と、
　前記支持台に対して
前記主走査方向に振動自在に支承され
　前記振動台を変位させる圧電素子と、
　前記圧電素子の振動発生部位を前記振動台に当接させた状態で、該圧電素子を前記支持台
に固
し、
　
前記取付ユニットは、前記圧電素子が固定される調整部材と、前記調整部材を収容した状態で、前記圧電素子を前記支持台に対して固着するための取付部材を有し、
　
前記調整部材は前記取付部材に対して位置調整して固定され
　
（１）刊行物
　原審拒絶理由に引用された刊行物、および、その記載事項は、前記「２．（２）」に記載したとおりである。
　
（２）対比・判断
　本願発明は、前記２．で検討した本願補正発明から「調整部材」の限定事項である「該圧電素子の突出長を調整するための」との構成を省いたものである。
　そうすると、本願発明の特定事項を全て含み、さらに他の特定事項を付加したものに相当する本願補正発明が、前記「２．（３）」に記載したとおり、刊行物１に記載された発明及び慣用技術に基づいて、当業者が容易に発明をすることができたものであるから、本願発明も、同様の理由により、刊行物１に記載された発明及び常套技術に基づいて、当業者が容易に発明をすることができたものである。
　
（３）むすび
　したがって、本願発明は、刊行物１に記載された発明及び常套技術に基いて当業者が容易に発明をすることができたものであるので、本願は、特許法第２９条第２項の規定により特許を受けることができない。
　よって、結論のとおり審決する。